(57)【要約】【課題】  複数の制御弁を備えながらも小型化された空気調和機の室内機を提供する。【解決手段】  空気調和機の室内機は、室内熱交換器１０と、第１電磁弁１６ａおよび第２電磁弁１６ｂと、底フレーム背面部６４とを備える。室内熱交換器１０は冷媒回路の一部を構成する。第１電磁弁１６ａおよび第２電磁弁１６ｂは冷媒回路の冷媒の流れを制御する。底フレーム背面部６４は、少なくとも室内熱交換器１０の後方を覆う。そして、第１電磁弁１６ａおよび第２電磁弁１６ｂは、底フレーム背面部６４と室内熱交換器１０と間であって室内熱交換器１０の後方において室内熱交換器１０の長手方向に距離を隔てて配置される。【選択図】      図５
2006138512.tif 000002
【特許請求の範囲】
【請求項１】
冷媒回路の一部を構成する熱交換器（１０）と、
前記冷媒回路の冷媒の流れを制御する複数の制御弁（１６ａ，１６ｂ）と、
少なくとも前記熱交換器（１０）の後方を覆うケーシング（６４）と、
を備え、
複数の前記制御弁（１６ａ，１６ｂ）は、前記ケーシング（６４）と前記熱交換器（１０）と間であって前記熱交換器（１０）の後方において前記熱交換器（１０）の長手方向に距離を隔てて配置される、
空気調和機（１）の室内機（２）。
【請求項２】
前記熱交換器（１０）は、水平方向に長く上端が前方に傾斜した後傾斜面（５４）を有し、
複数の前記制御弁（１６ａ，１６ｂ）は、前記後傾斜面（５４）に対向して配置される、
請求項１に記載の空気調和機（１）の室内機（２）。
【請求項３】
冷媒回路の一部を構成する熱交換器（１０）と、
前記冷媒回路の冷媒の流れを制御する複数の制御弁（１６ａ，１６ｂ）と、
少なくとも前記熱交換器（１０）の前方を覆うケーシング（６１）と、
を備え、
複数の前記制御弁（１６ａ，１６ｂ）は、前記ケーシング（６１）と前記熱交換器（１０）との間であって前記熱交換器（１０）の前方において前記熱交換器（１０）の長手方向に距離を隔てて配置される、
空気調和機（１）の室内機（２）。
【請求項４】
前記熱交換器（１０）は、水平方向に長く上端が後方に傾斜した前傾斜面（５５）を有し、
複数の前記制御弁（１６ａ，１６ｂ）は、前記前傾斜面（５５）に対向して配置される、
請求項３に記載の空気調和機（１）の室内機（２）。
【請求項５】
複数の前記制御弁（１６ａ，１６ｂ）は、前記熱交換器（１０）からの距離が略同一となるように並んで配置される、
請求項１から４のいずれかに記載の空気調和機（１）の室内機（２）。
【請求項６】
前記熱交換器（１０）は、第１熱交換部（１５）と第２熱交換部（１７）とを有し、
複数の前記制御弁（１６ａ，１６ｂ）は、前記冷媒回路上において前記第１熱交換部（１５）と前記第２熱交換部（１７）との間に設けられる、
請求項１から５のいずれかに記載の空気調和機（１）の室内機（２）。
【請求項７】
複数の前記制御弁（１６ａ，１６ｂ）は、通過する冷媒を膨張させる膨張弁であり、
複数の前記制御弁（１６ａ，１６ｂ）を制御して、冷房運転時には前記第１熱交換部（１５）および前記第２熱交換部（１７）を蒸発器として機能させ、再熱除湿運転時には前記第１熱交換部（１５）を凝縮器として機能させると共に前記第２熱交換部（１７）を蒸発器として機能させる制御部（９０）をさらに備える、
請求項６に記載の空気調和機（１）の室内機（２）。
【請求項８】
前記熱交換器（１０）は、
ｎ列（ｎは１以上の整数）に配置された伝熱管を有するｎ列熱交換部（５１）と、
ｍ列（ｍはｎより大きい整数）に配置された伝熱管を有するｍ列熱交換部（５２）と、
を有し、
複数の前記制御弁（１６ａ，１６ｂ）は、前記ｎ列熱交換部（５１）に対向して配置される、
請求項１から７のいずれかに記載の空気調和機（１）の室内機（２）。
【発明の詳細な説明】
【技術分野】
【０００１】
本発明は、空気調和機の室内機に関する。
【背景技術】
【０００２】
従来、空気調和機の室内機において、冷媒回路を流れる冷媒の流れを制御する制御弁が１つだけではなく複数設けられることがある。例えば、熱交換器が複数の熱交換部に分割されて各熱交換部への冷媒の流れを制御する複数の開閉弁が設けられることがある（特許文献１参照）。この空気調和機の室内機には、水平方向に長い形状を有する熱交換器が備えられており、３つの開閉弁が設けられている。この３つの開閉弁は、空気調和機の室内機の内部において、熱交換器の後側の傾斜面や前側の傾斜面に沿って上下方向に並んで配置されている。
【特許文献１】特開平８−６８５６８号公報  （第４図）
【発明の開示】
【発明が解決しようとする課題】
【０００３】
しかし、空気調和機の室内機において上記のように複数の制御弁が設けられる場合には、空気調和機の室内機の外形が大きくなる恐れがある。空気調和機の室内機は室内に配置されるものであるため、特に小型化の要請が強い。従って、空気調和機の室内機のケーシングは、できるだけ小さいことが望ましいが、配置される制御弁の数が多くなる場合には、複数の制御弁の収納空間を確保するために、ケーシングが大型化する恐れがある。
【０００４】
本発明の課題は、複数の制御弁を備えながらも小型化された空気調和機の室内機を提供することにある。
【課題を解決するための手段】
【０００５】
第１発明にかかる空気調和機の室内機は、熱交換器と、複数の制御弁と、ケーシングとを備える。熱交換器は冷媒回路の一部を構成する。複数の制御弁は冷媒回路の冷媒の流れを制御する。ケーシングは、少なくとも熱交換器の後方を覆う。そして、複数の制御弁は、ケーシングと熱交換器と間であって熱交換器の後方において熱交換器の長手方向に距離を隔てて配置される。
【０００６】
この空気調和機の室内機では、複数の制御弁がケーシングと熱交換器との間であって熱交換器の後方において熱交換器の長手方向に距離を隔てて配置される。ケーシングと熱交換器との間の空間は熱交換器の長手方向に沿った長い形状の空間となるため、熱交換器の長手方向と直交する方向に複数の制御弁が配置されるよりも、熱交換器の長手方向に距離を隔てて配置される方が複数の制御弁の収納空間の増大に与える影響が小さい。このため、この空気調和機の室内機では、複数の制御弁を備えながらも小型化が可能である。
【０００７】
第２発明にかかる空気調和機の室内機は、第１発明の空気調和機の室内機であって、熱交換器は、水平方向に長く上端が前方に傾斜した後傾斜面を有し、複数の制御弁は、後傾斜面に対向して配置される。
この空気調和機の室内機では、熱交換器が、上端が前方に傾斜した後傾斜面を有するため、ケーシングと後傾斜面との間の空間は、下方が狭く上方が広い形状となる。従って、複数の制御弁が上下方向に並んで配置される場合には、下方の狭い空間を制御弁が入る程度に広げる必要があり、製品の外形が大型化し、特に前後方向の厚みが増大する恐れが高い。しかし、この空気調和機の室内機では、熱交換器が水平方向に長い形状であるため上下方向と比べて水平方向に収納空間が広くなっている。従って、この空気調和機の室内機では、複数の制御弁が熱交換器の長手方向に距離を隔てて配置されることによって、複数の制御弁の収納空間の増大に与える影響を小さくすることができ、製品の前後方向の厚みを薄くすることが可能である。
【０００８】
第３発明にかかる空気調和機の室内機は、熱交換器と、複数の制御弁と、ケーシングとを備える。熱交換器は、冷媒回路の一部を構成する。複数の制御弁は、冷媒回路の冷媒の流れを制御する。ケーシングは、少なくとも熱交換器の前方を覆う。そして、複数の制御弁は、ケーシングと熱交換器との間であって熱交換器の前方において熱交換器の長手方向に距離を隔てて配置される。
【０００９】
この空気調和機の室内機では、複数の制御弁がケーシングと熱交換器との間であって熱交換器の前方において熱交換器の長手方向に距離を隔てて配置される。ケーシングと熱交換器との間の空間は熱交換器の長手方向に沿った長い形状の空間となるため、熱交換器の長手方向と直交する方向に複数の制御弁が配置されるよりも、熱交換器の長手方向に距離を隔てて配置される方が複数の制御弁の収納空間の増大に与える影響が小さい。このため、この空気調和機の室内機では、複数の制御弁を備えながらも小型化が可能である。
【００１０】
第４発明にかかる空気調和機の室内機は、第３発明の空気調和機の室内機であって、熱交換器は、水平方向に長く上端が後方に傾斜した前傾斜面を有し、複数の制御弁は、前傾斜面に対向して配置される。
この空気調和機の室内機では、熱交換器が、上端が後方に傾斜した前傾斜面を有するため、ケーシングと前傾斜面との間の空間は、下方が狭く上方が広い形状となる。従って、複数の制御弁が上下方向に並んで配置される場合には、下方の狭い空間を制御弁が入る程度に広げる必要があり、製品の外形が大型化し、特に前後方向の厚みが増大する恐れが高い。しかし、この空気調和機の室内機では、熱交換器が水平方向に長い形状であるため上下方向と比べて水平方向に収納空間が広くなっている。従って、この空気調和機の室内機では、複数の制御弁が熱交換器の長手方向に距離を隔てて配置されることによって、複数の制御弁の収納空間の増大に与える影響を小さくすることができ、製品の前後方向の厚みを薄くすることができる。
【００１１】
第５発明にかかる空気調和機の室内機は、第１発明から第４発明のいずれかの空気調和機の室内機であって、複数の制御弁は、熱交換器からの距離が略同一となるように並んで配置される。
この空気調和機の室内機では、複数の制御弁が、熱交換器からの距離が略同一となるように並んで配置される。このため、熱交換器とケーシングとの間の空間に複数の制御弁をコンパクトに収納することができる。従って、この空気調和機の室内機では、複数の制御弁を備えながらもより小型化が可能である。
【００１２】
第６発明にかかる空気調和機の室内機は、第１発明から第５発明のいずれかの空気調和機の室内機であって、熱交換器は、第１熱交換部と第２熱交換部とを有する。そして、複数の制御弁は、冷媒回路上において第１熱交換部と第２熱交換部との間に設けられる。
一般に、分割した熱交換器の間に一つの制御弁が設けられると、冷媒の圧力損失が増大して、消費エネルギーを増大させる恐れがある。しかし、この空気調和機の室内機では、複数の制御弁は、冷媒回路上において第１熱交換部と第２熱交換部との間に設けられる。このため、複数の制御弁を切り換えることによって、冷媒の流速が減少し、制御弁における圧力損失を低減することができる。また、この空気調和機の室内機では、上記のように制御弁の数が増大しても外形の大型化を抑えることができる。
【００１３】
第７発明にかかる空気調和機の室内機は、第６発明の空気調和機の室内機であって、複数の制御弁は、通過する冷媒を膨張させる膨張弁である。そして、この空気調和機の室内機は、制御部をさらに備える。制御部は、複数の制御弁を制御して、冷房運転時には第１熱交換部および第２熱交換部を蒸発器として機能させる。また、制御部は、再熱除湿運転時には、第１熱交換部を凝縮器として機能させると共に第２熱交換部を蒸発器として機能させる。
【００１４】
この空気調和機の室内機では、複数の膨張弁を制御部が制御することによって、冷房運転時に熱交換器の一部を凝縮器として機能させることができる。このため、この空気調和機の室内機では、通常の冷房運転に加えて、室温を下げることなく除湿運転を行うことが可能な再熱除湿運転を行うことができる。
第８発明にかかる空気調和機の室内機は、第１発明から第７発明のいずれかの空気調和機の室内機であって、熱交換器は、ｎ列（ｎは１以上の整数）に配置された伝熱管を有するｎ列熱交換部と、ｍ列（ｍはｎより大きい整数）に配置された伝熱管を有するｍ列熱交換部とを有する。そして、複数の制御弁は、ｎ列熱交換部に対向して配置される。
【００１５】
この空気調和機の室内機では、複数の制御弁が、ｎ列熱交換部に対向して設けられる。ｎ列熱交換部は比較的厚みが薄いため、複数の制御弁が製品外形の大型化に与える影響をより低減することができる。
【発明の効果】
【００１６】
第１発明にかかる空気調和機の室内機では、複数の制御弁がケーシングと熱交換器との間であって熱交換器の後方において熱交換器の長手方向に距離を隔てて配置されるため、複数の制御弁を備えながらも小型化が可能である。
第２発明にかかる空気調和機の室内機では、熱交換器が水平方向に長い形状であるため上下方向と比べて水平方向に収納空間が広くなっている。従って、この空気調和機の室内機では、複数の制御弁が熱交換器の長手方向に距離を隔てて配置されることによって、複数の制御弁の収納空間の増大に与える影響を小さくすることができ、製品の前後方向の厚みを薄くすることが可能である。
【００１７】
第３発明にかかる空気調和機の室内機では、複数の制御弁がケーシングと熱交換器との間であって熱交換器の前方において熱交換器の長手方向に距離を隔てて配置されるため、複数の制御弁を備えながらも小型化が可能である。
第４発明にかかる空気調和機の室内機では、熱交換器が水平方向に長い形状であるため上下方向と比べて水平方向に収納空間が広くなっている。従って、この空気調和機の室内機では、複数の制御弁が熱交換器の長手方向に距離を隔てて配置されることによって、複数の制御弁の収納空間の増大に与える影響を小さくすることができ、製品の前後方向の厚みを薄くすることができる。
【００１８】
第５発明にかかる空気調和機の室内機では、複数の制御弁が、熱交換器からの距離が略同一となるように並んで配置されるため、熱交換器とケーシングとの間の空間に複数の制御弁をコンパクトに収納することができる。従って、この空気調和機の室内機では、複数の制御弁を備えながらもより小型化が可能である。
第６発明にかかる空気調和機の室内機では、複数の制御弁を切り換えることによって、冷媒の流速が減少し、制御弁における圧力損失を低減することができる。また、この空気調和機の室内機では、上記のように制御弁の数が増大しても外形の大型化を抑えることができる。
【００１９】
第７発明にかかる空気調和機の室内機では、通常の冷房運転に加えて、室温を下げることなく除湿運転を行うことが可能な再熱除湿運転を行うことができる。
第８発明にかかる空気調和機の室内機では、複数の制御弁が、ｎ列熱交換部に対向して設けられる。ｎ列熱交換部は比較的厚みが薄いため、複数の制御弁が製品外形の大型化に与える影響をより低減することができる。
【発明を実施するための最良の形態】
【００２０】
＜空気調和機の構成＞
本発明の一実施形態に係る空調室内機を備えた空気調和機１について、図１〜図６を用いて説明すれば、以下の通りである。
本実施形態の空気調和機１は、図１に示すように、調和された空気を室内に供給するための装置であって、室内の壁面などに取り付けられる室内機２と、室外に設置される室外機３とを備えている。
【００２１】
室内機２内には、後述する室内熱交換器１０（熱交換器）が収納されており、室外機３内には、後述する室外熱交換器１３が収納されている。そして、室内機２内の室内熱交換器１０と室外機３内の室外熱交換器１３とが冷媒配管４によって接続されることにより、冷媒回路が構成される。
空気調和機１が有する冷媒回路は、図２に示すように、圧縮機１１と、四路切換弁１２と、室外熱交換器１３と、電動膨張弁１４と、第１室内熱交換部１５（第１熱交換部）と、第１電磁弁１６ａ（制御弁）および第２電磁弁１６ｂ（制御弁）と、第２室内熱交換部１７（第２熱交換部）と、アキュムレータ１８とを含んでいる。なお、第１室内熱交換部１５と第２室内熱交換部１７とは、共に図３および図５に示す室内熱交換器１０を構成する。
【００２２】
圧縮機１１は、冷媒回路内に流れる冷媒の圧力を上昇させて冷媒を送り出す。
四路切換弁１２は、圧縮機１１の吐出側と接続されており、冷房、再熱除湿運転時と暖房運転時とで冷媒の流路を変更する。なお、図２に示す四路切換弁１２は、冷房運転時および再熱除湿運転時における状態を示している。
室外熱交換器１３は、四路切換弁１２と接続されており、暖房運転時には蒸発器として機能し、冷房、再熱除湿運転時には凝縮器として機能する。また、室外熱交換器１３は、隣接配置されたプロペラファン３８によって室外機３内に吸い込まれた空気との間で熱交換を行う。
【００２３】
電動膨張弁１４は、室外熱交換器１３と接続されており、冷媒の圧力を変化させる膨張機構として機能する。例えば、冷房運転時には、後述する第１室内熱交換部１５を蒸発器として機能させるために、閉状態となって冷媒を膨張させる。一方、再熱除湿運転時には、第１室内熱交換部１５を凝縮器として機能させるために、全開状態となって冷媒の圧力を変化させない。
【００２４】
第１室内熱交換部１５は、電動膨張弁１４と接続されており、冷房運転時には蒸発器として機能し、暖房、再熱除湿運転時には凝縮器として機能する。
第１電磁弁１６ａおよび第２電磁弁１６ｂは、図２および図４に示すように、冷媒回路上において第１室内熱交換部１５と第２室内熱交換部１７との間に互いに並列に配置されており、冷媒回路の冷媒の流れを制御することができる。具体的には、第１電磁弁１６ａおよび第２電磁弁１６ｂは、通過する冷媒を膨張させる膨張弁であり、再熱除湿運転時には第２室内熱交換部１７へ流れる冷媒の圧力を低下させることができる。
【００２５】
第２室内熱交換部１７は、並列配置された第１電磁弁１６ａおよび第２電磁弁１６ｂと接続されており、再熱除湿運転時および冷房運転時に蒸発器として、暖房運転時には凝縮器として機能する。
アキュムレータ１８は、圧縮機１１の吸引側と接続されており、圧縮機１１に液状の冷媒が混入することを防止する。
【００２６】
室内機２は、以上のように、第１室内熱交換部１５および第２室内熱交換部１７を備えており、これらの室内熱交換部１５，１７が接触する空気との間で熱交換を行う。そして、室内機２は、室内空気を吸い込み第１室内熱交換部１５および第２室内熱交換部１７を経由して空気調和された空気を室内に排出するための気流を発生させるクロスフローファン２１（図２，図３参照）を備えている。クロスフローファン２１は、室内機２内に設けられる室内ファンモータ２２によって中心軸を中心にして回転駆動される。
【００２７】
室外機３は、圧縮機１１と、四路切換弁１２と、アキュムレータ１８と、室外熱交換器１３と、電動膨張弁１４とを備えている。電動膨張弁１４は、フィルタ３５および液閉鎖弁３６を介して配管４１と接続されており、この配管４１を介して室内機２の室内熱交換部１５，１７の一端と接続される。また、四路切換弁１２は、ガス閉鎖弁３７を介して配管４２と接続されており、この配管４２を介して室内機２の室内熱交換部１５，１７の他端と接続されている。なお、この配管４１、４２は、図１の冷媒配管４に相当する。また、室外機３には、室外機３内へ空気を吸い込み、室外熱交換器１３での熱交換後の空気を外部に排出するためのプロペラファン３８が設けられている。このプロペラファン３８は、室外ファンモータ３９によって回転駆動される。
【００２８】
＜室内機の構成＞
室内機２は、水平方向であり且つ正面視における横方向に長い形状を有している（図１参照）。以下、水平方向のうち、室内機２の正面視における横方向を単に「横方向」と呼ぶ。室内機２は、図３に示すように、主として、室内機２の内部に収容されている送風機構７、室内熱交換器ユニット５、第１電磁弁１６ａおよび第２電磁弁１６ｂ、室内機ケーシング８および制御部９０（図６参照）を備える。
【００２９】
〔送風機構〕
送風機構７は、室内から室内機２の内部に入り室内熱交換器１０を通って再び室内へと吹き出される空気の流れを生成する機構であり、クロスフローファン２１、室内ファンモータ２２（図２参照）等を有する。クロスフローファン２１は、横方向に長い円筒形状に構成され、中心軸が横方向に平行になるように配置されている。室内ファンモータ２２は、クロスフローファン２１の側方に配置され、クロスフローファン２１を回転駆動する。送風機構７は、後述する底フレーム６２によって支持されている。
【００３０】
〔室内熱交換器ユニット〕
室内熱交換器ユニット５は、図３に示すように室内熱交換器１０、補助配管５０（図５参照）などを有する。室内熱交換器１０は、上述した第１室内熱交換部１５および第２室内熱交換部１７を有している。なお、図２の冷媒回路に含まれる第１室内熱交換部１５および第２室内熱交換部１７は、個々独立した構成となっているが、本実施形態では、図４に示すように、１つの熱交換器の中でその一部分とそれ以外の部分とが第１室内熱交換部１５および第２室内熱交換部１７に相当し、その間に並列配置された第１電磁弁１６ａと第２電磁弁１６ｂとに接続されている。
【００３１】
室内熱交換器１０は、図５に示すように、横方向に長い形状を有しており、室内機ケーシング８（図１参照）の長手方向に平行に配置されている。室内熱交換器１０は、図３に示すように、後部５１、第１前部５２および第２前部５３が組み合わされて構成されている。後部５１は、室内熱交換器１０の後側上部を構成しており、長方形の板状の形状を有する。後部５１は、上端が下端よりも前方に位置するように傾斜して配置されている。また、後部５１は、空気の通過方向に伝熱管が２列配置された２列熱交換部となっている。第１前部５２は、室内熱交換器１０の前側上部を構成しており、後部５１と同様の長方形の形状を有する。第１前部５２は、上端が下端よりも後側に位置するように傾斜して配置されており、第１前部５２の上端と後部５１の上端とは、近接または接合されている。すなわち、第１前部５２と後部５１とは側面視において逆Ｖ字型形状となるように組み合わされている。第２前部５３は、室内熱交換器１０の前側下部を構成しており、他の部分と同様に長方形の板状の形状を有する。第２前部５３は、第１前部５２の下方に配置されており、第１前部５２の下端と第２前部５３の上端とは、近接又は接合されている。また、第１前部５２と第２前部５３とは、空気の通過方向に伝熱管が３列配置された３列熱交換部となっており、空気の通過方向の寸法が後部５１よりも厚くなっている。
【００３２】
室内熱交換器１０は、上記のように、後部５１、第１前部５２および第２前部５３が組み合わされて構成されているため、側面視において上方に凸に屈曲した形状を有している。室内熱交換器１０の屈曲の頂点Ｔ１よりも後側の部分は、上端が前方に下端が後方に位置するように傾斜した傾斜面となっている（以下「後傾斜面５４」と呼ぶ）。後傾斜面５４は、後部５１の一部である。室内熱交換器１０の屈曲の頂点Ｔ１よりも前側の部分は、上端が後方に下端が前方に位置するように傾斜した傾斜面となっている（以下「前傾斜面５５」と呼ぶ）。前傾斜面５５は、第１前部５２の一部である。この前傾斜面５５と後傾斜面５４との接合部分が前述の屈曲の頂点Ｔ１となっている。室内熱交換器１０は、横方向に長い形状を有しており、前傾斜面５５および後傾斜面５４もそれぞれ横方向に長い長方形の形状を有する傾斜した平面となっている。
【００３３】
室内熱交換器１０は、クロスフローファン２１の円周面に対向して配置されており、クロスフローファン２１の前方、上方を取り囲むように取り付けられている。第１室内熱交換部１５および第２室内熱交換部１７は、クロスフローファン２１が回転することにより発生する気流によって吸い込まれた空気に対して、第１室内熱交換部１５および第２室内熱交換部１７における伝熱管の内部を通過する冷媒との間で熱交換を行わせる。そして、室内機２は、水平フラップ７０によって吹き出し方向を調整しながら、吹出口７１から空気調和された空気を吹き出す。
【００３４】
補助配管５０は、室内熱交換器１０の側面から突出した複数の伝熱管を互いに繋いだり、第１室内熱交換部１５および第２室内熱交換部１７と冷媒配管４とを繋いだりする配管である。殆どの補助配管５０は、室内熱交換器１０の側方の空間において複雑に湾曲して配設されているが、一部の補助配管（以下、「後部補助配管５６」と呼ぶ）は、図５に示すように室内熱交換器１０の側方から室内熱交換器１０の後方の空間を通り、第１電磁弁１６ａおよび第２電磁弁１６ｂに接続されている。室内熱交換器１０の側方の補助配管５０は、複雑に湾曲した形状を有しているのに対して、後部補助配管５６は、比較的直線的な形状を有している。後部補助配管５６は、室内熱交換器１０の後方において横方向に延設されており、室内熱交換器１０の側方の補助配管５０が配設されている空間の横方向の長さよりも長い。
【００３５】
〔室内機ケーシング〕
室内機ケーシング８は、上述したように、室内熱交換器ユニット５や送風機構７を収容するものであり、図１に示すように、横方向に長い箱形の形状を有している。室内機ケーシング８は、側面視において略Ｄ型の形状を有しており、奥行き方向の寸法すなわち厚さが上下方向の寸法すなわち高さよりも小さい薄型の形状となっている。この室内機ケーシング８は、図３に示すように、前面グリル６１（ケーシング）と底フレーム６２とを有している。
【００３６】
前面グリル６１は、室内熱交換器ユニット５の前方および上方を覆うように構成されており、室内機２の上面側、前面側の外郭を形成する。前面グリル６１の上面は、格子状の複数の開口が設けられている。これらの開口は、室内から室内機ケーシング８の内部に吸い込まれる空気が通過する吸込口６０となっている。また、前面グリル６１の上面は、前述した室内熱交換器１０の頂点Ｔ１と近接している。
【００３７】
底フレーム６２は、室内熱交換器ユニット５の後方および下方を覆うように構成されており、室内機２の底面側および背面側の外郭を構成する。底フレーム６２は、室内機２の底面を構成する底フレーム下部６３と、室内機２の背面を構成する底フレーム背面部６４（ケーシング）とを有している。底フレーム下部６３には、送風機構７のクロスフローファン２１を収容する空間が設けられており、この空間は、底フレーム６２の前面下部に設けられた吹出口７１と連通している。底フレーム背面部６４は、室内熱交換器１０の後方を覆っており、上下方向に延びている。底フレーム背面部６４の上端Ｔ２は、前面グリル６１の上面の後端と近接または接触している。また、底フレーム背面部６４と、室内熱交換器１０の後部５１の下端とは近接している。
【００３８】
〔第１電磁弁および第２電磁弁〕
第１電磁弁１６ａおよび第２電磁弁１６ｂは、図３および図５に示すように、底フレーム背面部６４と室内熱交換器１０の後部５１との間であって後部５１の後方において室内熱交換器１０の長手方向すなわち横方向に距離を隔てて配置されている。より詳しくは、第１電磁弁１６ａおよび第２電磁弁１６ｂは、室内熱交換器１０の後傾斜面５４の上部近傍に対向して配置されている。すなわち、第１電磁弁１６ａおよび第２電磁弁１６ｂは、室内熱交換器１０の後部５１と底フレーム背面部６４との間のくさび型の空間に配置されている。また、第１電磁弁１６ａおよび第２電磁弁１６ｂは、室内熱交換器１０の後部５１からの距離が略同一となるように配置されており、横方向に平行に一直線上に並んで配置されている。従って、第１電磁弁１６ａおよび第２電磁弁１６ｂは、同じ高さに室内熱交換器１０の長手方向に沿って一直線上に並んで配置されている。また、第１電磁弁１６ａおよび第２電磁弁１６ｂは、図３に示すように、側面視においては重なって配置される。さらに、第１電磁弁１６ａおよび第２電磁弁１６ｂは、底フレーム背面部６４の上端Ｔ２を上方に越えないように配置されており、底フレーム背面部６４の上端Ｔ２と略同じ高さに位置している。
【００３９】
〔制御部〕
図６に示す制御部９０は、室内機２と室外機３とに分かれて設けられており、リモコン９３からの指示に従って、指示された空調運転を行う。
制御部９０による具体的な制御内容について以下説明する。
＜再熱除湿運転時の動作＞
再熱除湿運転時には、室内機２において、第１室内熱交換部１５を凝縮器として、第２室内熱交換部１７を蒸発器として機能させる。このため、電動膨張弁１４を開状態とする一方、第１電磁弁１６ａおよび第２電磁弁１６ｂの片方あるいは両方を閉状態とする。これにより、第１室内熱交換部１５を凝縮器として機能させるとともに、第２室内熱交換部１７に流れる冷媒が膨張して低温低圧の液冷媒となるため、第２室内熱交換部１７の全体あるいは一部を蒸発器として機能させることが可能になる。
【００４０】
なお、第１電磁弁１６ａおよび第２電磁弁１６ｂについて、片方あるいは両方を閉状態とするか否かは、室内の顕熱負荷および潜熱負荷の大きさに応じて決定される。すなわち、例えば、室内の湿度が高い（潜熱負荷が大きい）場合には、潜熱処理を大量に行う必要がある。このため、第２室内熱交換部１７の全ての部分を蒸発器として使用できるように、第１電磁弁１６ａおよび第２電磁弁１６ｂの双方を閉状態とし、第２室内熱交換部１７全体を蒸発器として機能させる。一方、室内の湿度がそれほど高くない（潜熱負荷が小さい）場合には、第２室内熱交換部１７の一部だけを蒸発器として使用できればよい。このため、片方の第１電磁弁１６ａのみを閉状態とする。
【００４１】
このように、第１・第２電磁弁１６ａ，１６ｂの両方を閉状態にするか、一方だけを閉状態にするかによって第１状態と第２状態とを使い分けることで、季節や時間変動に伴う室内負荷の大きさの変化に応じて顕熱処理および潜熱処理を行う室内熱交換器１０の面積を変更でき、従来の再熱除湿運転よりも柔軟な制御が可能になる。
なお、この第１状態と第２状態との切り換えは、室内機２に取り付けられた温度センサ９１や湿度センサ９２（図６参照）によって検知された室内の顕熱負荷、潜熱負荷の大きさに応じて、自動的に制御されていてもよいし、ユーザによって手動で行われてもよい。
【００４２】
＜冷房運転時の動作＞
本実施形態の室内機２では、冷房運転時には、第１室内熱交換部１５および第２室内熱交換部１７の双方を蒸発器として用いるために、電動膨張弁１４を閉状態とする。これにより、電動膨張弁１４を通過した冷媒は膨張して低温低圧の液冷媒となるため、第１室内熱交換部１５および第２室内熱交換部１７の双方を蒸発器として機能させることができる。なお、このときの第１電磁弁１６ａおよび第２電磁弁１６ｂは、ともに開状態となる。
【００４３】
ここで、本実施形態のような再熱除湿方式の冷媒回路を有する室内機２では、冷房運転時において第１室内熱交換部１５と第２室内熱交換部１７との間に設けられた電磁弁における冷媒の圧力損失が問題となる。しかし、本実施形態の室内機２では、第１室内熱交換部１５と第２室内熱交換部１７との間に２つの第１電磁弁１６ａおよび第２電磁弁１６ｂを並列配置することで冷媒の圧力損失を低減して、冷房能力の低下を回避することができる。
【００４４】
＜本空調室内機の特徴＞
（１）
この空気調和機１の室内機２では、第１電磁弁１６ａおよび第２電磁弁１６ｂは、冷媒回路上において第１室内熱交換部１５と第２室内熱交換部１７との間に設けられる。このため、第１電磁弁１６ａおよび第２電磁弁１６ｂを切り換えることによって、冷媒の流速が減少し、第１電磁弁１６ａおよび第２電磁弁１６ｂにおける圧力損失を一つの制御弁が設けられる場合よりも低減することができる。
【００４５】
（２）
この空気調和機１の室内機２では、第１電磁弁１６ａおよび第２電磁弁１６ｂが室内熱交換器１０と底フレーム背面部６４との間において横方向すなわち室内熱交換器１０の長手方向に配置される。上述したような室内機ケーシング８と室内熱交換器１０の配置によって、室内熱交換器１０の後部５１と底フレーム背面部６４との間には、くさび形の空間が形成される。室内熱交換器１０および底フレーム６２は横方向に長い形状を有しているため、このくさび形の空間（以下「後方空間」と呼ぶ）も横方向に長い形状となっている。従って、この後方空間に配置される第１電磁弁１６ａおよび第２電磁弁１６ｂが横方向に並んで配置されることによって、第１電磁弁１６ａおよび第２電磁弁１６ｂをコンパクトに収容することができる。このため、空気調和機１の室内機２の小型化、特に薄型化が可能となっている。
【００４６】
また、室内熱交換器１０の後傾斜面５４の傾斜のために、後方空間は、上部ほど広く下部ほど狭い形状となっている。従って、第１電磁弁１６ａおよび第２電磁弁１６ｂが後傾斜面５４の上部に対向するように配置されることによって、後方空間を有効に利用することができる。このため、製品の小型化、特に薄型化が可能となっている。
また、この空気調和機１の室内機２では、第１電磁弁１６ａおよび第２電磁弁１６ｂの２つの電磁弁が室内熱交換器１０の後方にのみ配置されており、室内熱交換器１０の前方には電磁弁が配置されていない。これにより、製品をさらに薄型化することが可能となっている。
【００４７】
さらに、室内熱交換器１０の後部５１が２列熱交部であるのに対して、第１前部５２は３列熱交換部であるため、前面グリル６１と第１前部５２との間の空間よりも後方空間の方が広く形成されている。従って、第１電磁弁１６ａおよび第２電磁弁１６ｂが後方空間に配置されることによって、室内機ケーシング８内の空間を有効に利用することができる。
【００４８】
（３）
第１電磁弁１６ａおよび第２電磁弁１６ｂへと接続される後部補助配管５６は、比較的長い直線的な形状を有している。このため、後部補助配管５６には安定した状態で冷媒が流れることができ、後部補助配管５６を流れる冷媒の音を低減させることができる。
＜他の実施形態＞
（１）
上記の実施形態では、第１電磁弁１６ａおよび第２電磁弁１６ｂは、室内熱交換器１０の後部５１と底フレーム背面部６４との間に配置されているが、前面グリル６１と室内熱交換器１０の第１前部５２と間であって第１前部５２の前方において横方向に距離を隔てて配置されてもよい。すなわち、第１電磁弁１６ａおよび第２電磁弁１６ｂが室内熱交換器１０の前方または後方のいずれか一方において長手方向に並んで配置されればよい。第１電磁弁１６ａおよび第２電磁弁１６ｂがこのように配置される場合も、室内熱交換器１０と室内機ケーシング８との間の空間を有効に利用することができ、製品の小型化が可能である。
【００４９】
（２）
第１電磁弁１６ａおよび第２電磁弁１６ｂは、通過する冷媒を減圧する膨張弁であるが、他の制御弁であってもよい。例えば、第１電磁弁１６ａおよび第２電磁弁１６ｂに代えて冷媒流量の調整のみを行う調整弁が複数設けられる場合にも本発明が適用可能である。
（３）
上記の実施形態では、第１電磁弁１６ａおよび第２電磁弁１６ｂは、横方向に平行に一直線上に並んで設けられており、第１電磁弁１６ａおよび第２電磁弁１６ｂは同じ高さに設けられている。製品の小型化のためには、上記のような配置がより望ましいが、第１電磁弁１６ａおよび第２電磁弁１６ｂが、同じ高さに限らず、上下に多少位置をずらして配置されてもよい。
【００５０】
（４）
上記の実施形態では、第１電磁弁１６ａおよび第２電磁弁１６ｂの２つの電磁弁が設けられているが、３つ以上の電磁弁が設けられる場合にも本発明が適用可能である。
（５）
上記の実施形態では、室内熱交換器１０の後部５１が２列熱交部であり、第１前部５２が３列熱交部であるが、１列熱交換部や４列熱交換部が備えられてもよい。
【００５１】
（６）
上記の実施形態では、室内熱交換器１０は横方向に長い形状となっているが、これと異なる方向に長い形状の熱交換器に対しても本発明を適用可能である。
【産業上の利用可能性】
【００５２】
本発明は、複数の制御弁を備えながらも小型化が可能であるという効果を有し、空気調和機の室内機として有用である。
【図面の簡単な説明】
【００５３】
【図１】空気調和機の外観図。
【図２】冷媒回路の構成図。
【図３】室内機の側面断面図。
【図４】室内熱交換器の構成を示す概略図。
【図５】前面グリルを取り外した室内機の斜視図。
【図６】空気調和機の制御ブロック図。
【符号の説明】
【００５４】
１        空気調和機
２        室内機
１０      室内熱交換器（熱交換器）
１５      第１室内熱交換部（第１熱交換部）
１６ａ    第１電磁弁（制御弁）
１６ｂ    第２電磁弁（制御弁）
１７      第２室内熱交換部（第２熱交換部）
５５      前傾斜面
５４      後傾斜面
６１      前面グリル（ケーシング）
６４      底フレーム背面部（ケーシング）
５１      後部（ｎ列熱交換部）
５２      第１前部（ｍ列熱交換部）
９０      制御部
【図１】
2006138512.tif 000003
【図２】
2006138512.tif 000004
【図３】
2006138512.tif 000005
【図４】
2006138512.tif 000006
【図５】
2006138512.tif 000007
【図６】
2006138512.tif 000008